(57)【要約】【課題】  従来の風鈴において、さまざまな、工夫がされてきたが、音色に関するものは、主にその材料に特殊な鉱石や金属を用いたりして響きに特徴を持たせたものであったり、あるいは、前記特許文献に見られるように、風鈴に音の高さを意識的に付与し、その音高の調律で、快適さを求めるものだったりした。しかしながら、一度、音高なり、風鈴の響きを決めてしまうと、簡便にその風鈴の持つ音色の微妙な調整が出来ないでいた。その風鈴の音色を調整可能とし、より、風情のある風鈴を提供するのが、本発明の課題である。【解決手段】  風鈴本体に共鳴体を付帯させることで、解決をはかった。また、共鳴体が凹部を有し、固形物もしくは、流体を保持せしめる構造にすることで、自由に音色を変化させ楽しむことが、簡便になった。加えて。共鳴体に生け花などを挿入する目的の花器と利用すると風情があってよい。【選択図】  図１
2009276408.tif 000002
【特許請求の範囲】
【請求項１】
風鈴本体に共鳴体を付帯させたことを特徴とする風鈴
【請求項２】
共鳴体が凹形状をなし、固形物もしくは流体を保持できることを特徴とする請求項１に記載の風鈴
【請求項３】
共鳴体が金属であることを特徴とする請求項１もしくは２に記載の風鈴
【請求項４】
共鳴体を花器として利用可能とした請求項１、２または３に記載の風鈴
【請求項５】
請求項１、２、３及び４に記載の風鈴を卓上ベルとして利用することを特徴とする請求項１、２、３及び4に記載の風鈴
【請求項６】
風鈴の上部に凹部を有し、その凹部が花器である花器型風鈴
【発明の詳細な説明】
【技術分野】
【０００１】
本発明は風鈴に関するものである。
【背景技術】
【０００２】
風鈴としては特願２００４-２０５５４８に記載の音に係る風鈴の発明がある。
【０００３】
これは風鈴に音の高さを意識的に付与し、応用、利用したものである。
【特許文献１】特願２００４-２０５５４８
【発明の開示】
【発明が解決しようとする課題】
【０００４】
従来の風鈴において、さまざまな、工夫がされてきたが、音色に関するものは、主にその材料に特殊な鉱石や金属を用いたりして響きに特徴を持たせたものであったり、あるいは、前記特許文献に見られるように、風鈴に音の高さを意識的に付与し、その音高の調律で、快適さを求めるものだったりした。
【０００５】
しかしながら、一度、音高なり、風鈴の響きを決めてしまうと、簡便にその風鈴の持つ音色の微妙な調整が出来ないでいた。その風鈴の音色を調整可能とし、より、風情のある風鈴を提供するのが、本発明の課題である。
【課題を解決するための手段】
【０００６】
風鈴本体に共鳴体を付帯させた風鈴とした。
【０００７】
請求項２に記載の発明のように、共鳴体が固形物もしくは流体を保持できる凹形状をなしている風鈴であれば、固形物や水などの流体の量を加減し保持することで、風鈴の音色を変化させることが出来る。
また、請求項３に記載の本発明のように、共鳴体が金属であることがより好ましい。
【０００８】
請求項４に記載の本発明のように、共鳴体を花器として用いることで、より風情のある風鈴とすることが出来る。また、花器として、音色の変化により、水の分量が類推できるため、水が不足して、花を枯らすといった不具合を減らす効果もある。
【０００９】
請求項５の本発明のように、風鈴の錘の部分から、短冊をなくした構成にしてもよい。これにより、共鳴体を用いた卓上ベルとすることができる。夏など風鈴を用いる時期以外に卓上ベルとして利用することで、多機能な花器型ベルに出来る。
【００１０】
請求項６の本発明のように、風鈴上部を花器とした花器型風鈴はとても風情があってよい。
【発明の効果】
【００１１】
本発明で請求項１の発明によれば、共鳴体を用いることで、より、風鈴の音色に味がでる。同時に、例えば上部に逃げていた音の放射エネルギーをうまく下部方向に導くなどの工夫が可能になる。
また、本発明の請求項２のように共鳴体が固形物もしくは、流体を保持できる凹形状をなしている風鈴であれば、固形物、水などの流体の量を加減し保持することで、風鈴の音色を変化させることが出来る。これは共鳴体の振動が流体により、制御されるためと考えられる。もちろん流体以外のゴムボールやスポンジなどで制御してもよいが、流体であるほうが、量が自由に加減しやすく便利である。
【００１２】
本発明で請求項３に記載の共鳴体が金属であれば、振動がより伝わりやすく、磁器などは共鳴させるための条件が難しく、放射エネルギー効率としても金属が優れている。
【００１３】
本発明で請求項４に記載の発明のように共鳴体を花器として用いることで、より風情のある風鈴とすることが出来る。また、花器として、音色の変化により、水の分量が類推できるため、水が不足して、花を枯らすといった不具合を減らす効果もある。
【００１４】
本発明のうち請求項５に記載の発明によれば、風鈴の錘の部分から、短冊を特に利用することなく、ベルとして利用できる。つまり共鳴体を用いた卓上ベルとして利用することができる。夏など風鈴を用いる時期以外に卓上ベルとして利用することで、多機能な花器型ベルに出来る。錘部から、短冊を取り外しすることで、簡便に構成できる。
【発明を実施するための最良の形態】
【００１５】
本発明の風鈴の具体的な構成について、各図面に基づいて説明する。
【実施例１】
【００１６】
図１は説明図ある。簡明を記すために縦断面図にして説明する。この形態は、風鈴本体（1）上部に共鳴体（２）が一体で連なった形態のものである。図１のように風鈴本体（１）と共鳴体（２）とは一体になっていることが好ましい。風鈴本体（１）は必ずしも金属である必要性はないし、共鳴体（２）も同様に必ずしも金属である必要性はないが、金属であるほうが、音エネルギーの放射効率がよいので利用しやすい。風鈴本体（１）のフック部（５）から、紐（82）で、錘（３）を取り付け、さらに紐（８１）で短冊（４）に連携されている。共鳴体（２）は筒形状であって、凹部をなして、流体である水（７）が保持されている。共鳴体（２）上部に、架橋部（６）を設け、紐（83）で吊るすことが出来るようになっている。この架橋部（6）は特に図１のように、上部にある必要はないが、安定性の面で、上部が好ましい。もちろん架橋部（６）の材質は問わないし、また、風鈴が吊るすことができれば、特になくてもかまわない。しかし、この架橋部は共鳴体の振動に与える影響は大きく、金属などを用いて、積極的に音色の調整に利用できる。夏季以外には短冊を取って、卓上ベルとして利用してもよい。
【００１７】
図２は本発明の風鈴を花器として用いた実施例の斜視図である。生け花（９）を生けると風情がある。
【実施例２】
【００１８】
図３は共鳴体（２）がスリット状にカットされているものである。固有の振動により、ハーモニカに振動板のように振動するようにも工夫出来る。このように共鳴体は好きな形状に工夫することでバリエーションが広がる。音色調整やデザインのために、穴を開けたり、スリットを入れたりして、工夫することは自由である。
【図面の簡単な説明】
【００１９】
【図１】本発明の実施形態を示す説明縦断面図である。
【図２】本発明の実施形態を示すフリーハンド図である。
【図３】本発明の実施形態を示すフリーハンド図である。
【符号の説明】
【００２０】
１        風鈴本体
２        共鳴体
３        錘
４        短冊
５        フック部
６        架橋部
７        水
８１      紐
８２      紐
８３      紐
９        生け花
【図１】
2009276408.tif 000003
【図２】
2009276408.tif 000004
【図３】
2009276408.tif 000005